(57)【要約】      （修正有）【課題】移動端末が、複数の基地局と１つのコアネットワーク装置とを含む無線セルラー通信ネットワークにアクセスできるようにする方法を提供する。【解決手段】移動端末ＭＴ１、ＭＴ２は、リスト内で特定される少なくとも１つの第１の基地局ＢＳ１を通じて無線セルラー通信ネットワークにアクセスすることを許可され、第２の基地局ＢＳ２、ＢＳ３によって転送される信号を特定できるようにする情報を記憶しない。１つの第２の基地局ＢＳ２は、コアネットワーク装置ＣＮから第１の基地局ＢＳ１によって転送されるべき信号を転送するように第２の基地局ＢＳ２に対して要求するメッセージを受信し、第１の基地局ＢＳ１を特定する情報を取得し、第１の基地局ＢＳ１を特定する信号をブロードキャストし、第１の基地局ＢＳ１によって転送されるべき信号を移動端末ＭＴ１、ＭＴ２に転送し、第１の基地局ＢＳ１に向けられる信号を移動端末ＭＴ１、ＭＴ２から受信する。【選択図】図１
2010104003.tif 000002
【特許請求の範囲】
【請求項１】
移動端末が、複数の基地局と１つのコアネットワーク装置とを含む無線セルラー通信ネットワークにアクセスできるようにするための方法であって、
前記移動端末は、少なくとも１つの第１の基地局を通じて、前記無線セルラー通信ネットワークにアクセスすることを許可され、
前記移動端末は、各第１の基地局によって転送される信号を特定できるようにする情報を含むリストを記憶し、
前記移動端末は、複数の第２の基地局によって転送される信号を特定できるようにする情報を記憶しない
方法において、
前記方法は、１つの第２の基地局によって実行される複数のステップとして、
動作可能でない１つの第１の基地局によって転送されるべき信号を転送するように前記第２の基地局に対して要求するメッセージを、前記コアネットワーク装置から受信するステップと、
前記第１の基地局を特定する情報を取得するステップと、
前記第１の基地局を特定する信号をブロードキャストするステップと、
前記第１の基地局によって転送されるべき信号を、前記移動端末に転送するステップと、
前記第１の基地局に向けられる信号を、前記移動端末から受信するステップと
を含むことを特徴とする、方法。
【請求項２】
前記方法は、前記第２の基地局によって実行される複数のステップとして、
前記第２の基地局を特定する信号をブロードキャストするステップと、
別の移動端末に信号を転送するステップと、
前記第２の基地局に向けられる信号を、前記別の移動端末から受信するステップと
をさらに含むことを特徴とする、請求項１に記載の方法。
【請求項３】
前記第１の基地局を特定する前記ブロードキャストされる信号は、少なくとも１つの第１のフレームの少なくとも１つの第１のシンボルの形をとり、
前記第２の基地局を特定する前記ブロードキャストされる信号は、少なくとも１つの第２のフレームの少なくとも１つの第２のシンボルの形をとる
ことを特徴とし、且つ、
前記第１のフレーム及び前記第２のフレームが同期するか、又は、
前記第１のシンボル及び前記第２のシンボルが同期するか、又は、
前記第１のフレーム及び前記第２のフレーム、並びに前記第１のシンボル及び前記第２のシンボルが同期する
ことを特徴とする、請求項２に記載の方法。
【請求項４】
前記第１の基地局によって前記移動端末に転送されるべき信号は、少なくとも１つの第１のフレームの少なくとも１つの第１のシンボルの形をとり、
前記第２の基地局によって前記別の移動端末に転送される信号は、少なくとも１つの第２のフレームの少なくとも１つの第２のシンボルの形をとる
ことを特徴とし、且つ、
前記第１のフレーム及び前記第２のフレームが同期するか、又は、
前記第１のシンボル及び前記第２のシンボルが同期するか、又は、
前記第１のフレーム及び前記第２のフレーム、並びに前記第１のシンボル及び前記第２のシンボルが同期する
ことを特徴とする、請求項２に記載の方法。
【請求項５】
移動端末が、複数の基地局と１つのコアネットワーク装置とを含む無線セルラー通信ネットワークにアクセスできるようにするための方法であって、
前記移動端末は、少なくとも１つの第１の基地局を通じて前記無線セルラー通信ネットワークにアクセスすることを許可され、
前記移動端末は、各第１の基地局によって転送される信号を特定できるようにする情報を含むリストを記憶し、
前記移動端末は、複数の第２の基地局によって転送される信号を特定できるようにする情報を記憶しない
方法において、
前記方法は、前記コアネットワーク装置によって実行される複数のステップとして、
前記移動端末に信号を転送すべき１つの第１の基地局が動作可能でないかどうかを判定するステップと、
前記移動端末に信号を転送すべき前記第１の基地局が動作可能でない場合には、前記第１の基地局のうちの１つであって、前記第１の基地局によって転送される信号を特定できるようにする情報が前記リスト内に含まれる、そのような前記第１の基地局のうちの１つによって転送されるべき信号を転送するように、前記第２の基地局に対して要求するメッセージを、転送するステップと、
前記第１の基地局のうちの１つであって、前記第１の基地局によって転送される信号を特定できるようにする情報がその前記リスト内に含まれる、そのような前記第１の基地局のうちの１つによって転送されるべき信号を転送する前記第２の基地局を通じて、前記移動端末が、前記無線セルラー通信ネットワークにアクセスすることを許可するステップとを含むことを特徴とする、方法。
【請求項６】
１つの第１の基地局によって転送されるべき前記信号は、前記動作可能でない第１の基地局によって転送されるべき信号であることを特徴とする、請求項５に記載の方法。
【請求項７】
１つの第１の基地局によって転送されるべき前記信号は、前記動作可能でない基地局とは異なる１つの第１の基地局によって転送されるべき信号であることを特徴とする、請求項５に記載の方法。
【請求項８】
第１の基地局によって転送されるべき信号であって前記第２の基地局によって転送される信号は、
前記第１の基地局を特定するブロードキャストされる信号であり、及び／又は、
前記移動端末が関与する通信に関連するデータを表す信号である
ことを特徴とする、請求項５〜７のいずれか一項に記載の方法。
【請求項９】
前記方法は、前記第１の基地局によって転送される信号を特定できるようにする情報が前記リスト内に含まれる、そのような前記第１の基地局の中から、前記信号を転送すべき前記第１の基地局を選択するステップをさらに含み、
前記選択された第１の基地局は、前記第１の基地局を特定する信号を転送する第１の基地局であり、その第１の基地局を特定する前記信号は、前記第２の基地局を特定し且つ前記第２の基地局によって転送される信号と、可能な限り直交する
ことを特徴とする、請求項５〜８のいずれか一項に記載の方法。
【請求項１０】
移動端末が、複数の基地局と１つのコアネットワーク装置とを含む無線セルラー通信ネットワークにアクセスできるようにするための装置であって、
前記移動端末は、少なくとも１つの第１の基地局によって転送される信号を特定できるようにする前記少なくとも１つの基地局の情報が前記移動端末によって記憶される、そのような前記少なくとも１つの基地局を通じて、前記無線セルラー通信ネットワークにアクセスすることを許可され、
前記移動端末は、第２の基地局によって転送される信号を特定できるようにする情報を記憶しない
装置において、
移動端末が前記無線セルラー通信ネットワークにアクセスできるようにするための前記装置は、前記第２の基地局に含まれ、
前記装置は、
動作可能でない１つの第１の基地局によって転送されるべき信号を転送するように前記第２の基地局に要求するメッセージを、前記コアネットワーク装置から受信する手段と、
前記第１の基地局を特定する情報を取得する手段と、
前記第１の基地局を特定する信号をブロードキャストする手段と、
前記第１の基地局によって転送されるべき信号を、前記移動端末に転送する手段と、
前記第１の基地局に向けられる信号を、前記移動端末から受信する手段と
を備えることを特徴とする、装置。
【請求項１１】
移動端末が、複数の基地局と１つのコアネットワーク装置とを含む無線セルラー通信ネットワークにアクセスできるようにするための装置であって、
前記移動端末は、少なくとも１つの第１の基地局を通じて前記無線セルラー通信ネットワークにアクセスすることを許可され、
前記移動端末は、各第１の基地局によって転送される信号を特定できるようにする情報を含むリストを記憶し、
前記移動端末は、複数の第２の基地局によって転送される信号を特定できるようにする情報を記憶しない
装置において、
移動端末が前記無線セルラー通信ネットワークにアクセスできるようにするための前記装置は、前記コアネットワーク装置に含まれ、
前記装置は、
前記移動端末に信号を転送すべき１つの第１の基地局が動作可能でないかどうかを判定する手段と、
前記移動端末に信号を転送すべき前記第１の基地局が動作可能でない場合には、前記第１の基地局のうちの１つであって、前記第１の基地局によって転送される信号を特定できるようにする情報が前記リスト内に含まれる、そのような前記第１の基地局のうちの１つによって転送されるべき信号を転送するように、前記第２の基地局に対して要求するメッセージを転送する手段と、
前記第１の基地局のうちの１つであって、前記第１の基地局によって転送される信号を特定できるようにする情報がその前記リスト内に含まれる、そのような前記第１の基地局のうちの１つによって転送されるべき信号を転送する前記第２の基地局を通じて、前記移動端末が、前記無線セルラー通信ネットワークにアクセスすることを許可する手段とを含む
ことを特徴とする、装置。
【請求項１２】
プログラム可能な装置に直にロード可能とすることができるコンピュータプログラムであって、前記コンピュータプログラムがプログラム可能な装置において実行されるときに請求項１〜４のいずれか一項に記載される方法のステップを実施するための命令又はコード部分を含む、コンピュータプログラム。
【請求項１３】
プログラム可能な装置に直にロード可能とすることができるコンピュータプログラムであって、前記コンピュータプログラムがプログラム可能な装置において実行されるときに請求項５〜９のいずれか一項に記載される方法のステップを実施するための命令又はコード部分を含む、コンピュータプログラム。
【発明の詳細な説明】
【技術分野】
【０００１】
本発明は、概して、移動端末(mobile terminal)が複数の基地局を含む無線セルラー通信ネットワークにアクセスできるようにするための方法及び装置に関する。
【背景技術】
【０００２】
無線セルラー通信ネットワークは広く展開されているが、依然として、無線セルラー通信ネットワークの基地局によってカバーされていないエリアがある。
【０００３】
たとえば、基地局によって放射される信号があまりにも大きく減衰する場合には、建物の中にある移動端末は、無線セルラー通信ネットワークにアクセスできないおそれがある。
【０００４】
今日、複数の解決策が提案されている。ホーム基地局又はフェムト基地局(femto base station)のような特定の基地局が、建物の中のカバレッジエリアを提供する。
【０００５】
これらのホーム基地局では、ホーム基地局によって移動端末に提供されるサービス品質を維持するために、若しくは移動端末に望ましいサービスを提供するために、又はその両方のために、それぞれの資源を通じて、限られた数の移動端末だけが無線セルラー通信ネットワークにアクセスできるようにする。ホーム基地局を通じてネットワークの資源にアクセスことを許される移動端末は、ホーム基地局の所有者、ネットワークの所有者又は両方の組み合わせによって決定することができる。
【０００６】
ここで、「所有者」は包括的な意味において理解されなければならない。所有者は、そのホーム基地局の単なる主な使用者であってもよく、そのホーム基地局を借りる人であってもよく、自分の家若しくは事務所内にホーム基地局を収容する人であってもよい。
【０００７】
たとえば、ホーム基地局の所有者及びその家族の移動端末だけが、そのホーム基地局を通じて無線セルラー通信ネットワークにアクセスすることができる。これらの移動端末はホーム基地局に関連付けられる。他の移動端末は、そのホーム基地局を通じて、無線セルラー通信ネットワークにアクセスすることはできない。他の移動端末は、そのホーム基地局に関連付けられない。
【０００８】
ホーム基地局が動作可能でないとき、たとえば、ホーム基地局の電源が切られているか、ホーム基地局が壊れているか、又は通信ネットワークに接続されていないときには、そのホーム基地局に関連付けられる移動端末は、その移動端末が別のホーム基地局を通じて無線セルラー通信ネットワークにアクセスすることが許されない場合には、この別のホーム基地局を通じて無線セルラー通信ネットワークにアクセスすることはできない。このような状況に陥る結果として、その移動端末は、無線セルラー通信ネットワークにアクセスできなくなる場合がある。たとえば、そのような状況は、移動端末が、その移動端末が関連付けられないホーム基地局のみによって包囲されており、且つマクロ基地局（全ての移動端末がアクセスすることを許されるもの）のカバレッジ下にないときに生じる。後者のマクロ基地局は、たとえば、大きなセル形に規則的に配置される基地局である。
【０００９】
移動端末が、別のホーム基地局を通じて無線セルラー通信ネットワークにアクセスしようと試みる場合には、その移動端末とその別のホーム基地局との間に関連付けがないので、無線セルラー通信ネットワークは、その移動端末を拒否する。
【先行技術文献】
【特許文献】
【００１０】
【特許文献１】国際公開第２００８／０３０１７１号パンフレット
【非特許文献】
【００１１】
【非特許文献１】３ＧＰＰ、"3GPP TS 22.220 V0.3.0, Technical Specification Group Services and System Aspects; Service requirements for Home NodeBs and Home eNodeBs; (Release 9)"、第３世代パートナーシッププロジェクト、２００８年７月２５日、XP050228828、SOPHIA ANTIPOLIS CEDEX、フランス
【非特許文献２】Kaaranen H 他、"UMTS NETWORKS, ARCHITECTURE, MOBILITY AND SERVICES. passage"、UMTS NETWORKS. ARCHITECTURE, MOBILITY AND SERVICES, WILEY, アメリカ、２００１年１月１日
【非特許文献３】３ＧＰＰ、"3GPP TS 25.331 V6.4.0, Technical Specification Group Radio Access Network; Radio Resource Control (RPC); Protocol Specification (Release 6)"、第３世代パートナーシッププロジェクト、２００４年１２月、XP002524274、SOPHIA ANTIPOLIS CEDEX、フランス
【発明の概要】
【発明が解決しようとする課題】
【００１２】
本発明は、ホーム基地局のような基地局に関連付けられる移動端末が、その移動端末が関連付けられていない少なくとも１つの別の基地局を認識できるようにすることを目的とする。さらに、本発明は、移動端末が関連付けられる基地局が動作可能でない場合であっても、その移動端末が別の基地局を認識している場合には、無線セルラー通信ネットワークにアクセスできるようにする。
【課題を解決するための手段】
【００１３】
その目的のために、本発明は、
移動端末が、複数の基地局と１つのコアネットワーク装置とを含む無線セルラー通信ネットワークにアクセスできるようにするための方法であって、
移動端末は、少なくとも１つの第１の基地局を通じて、無線セルラー通信ネットワークにアクセスすることを許可され、
移動端末は、各第１の基地局によって転送される信号を特定できるようにする情報を含むリストを記憶し、
移動端末は、複数の第２の基地局によって転送される信号を特定できるようにする情報を記憶しない
方法において、
該方法は、１つの第２の基地局によって実行される複数のステップとして、
第１の基地局によって転送されるべき信号を転送するように第２の基地局に対して要求するメッセージを、コアネットワーク装置から受信するステップと、
第１の基地局を特定する情報を取得するステップと、
第１の基地局を特定する信号をブロードキャストするステップと、
第１の基地局によって転送されるべき信号を移動端末に転送するステップと、
第１の基地局に向けられる信号を移動端末から受信するステップと
を含むことを特徴とする、方法に関する。
【００１４】
本発明は、
移動端末が、複数の基地局と１つのコアネットワーク装置とを含む無線セルラー通信ネットワークにアクセスできるようにするための装置であって、
移動端末は、少なくとも１つの基地局を通じて無線セルラー通信ネットワークにアクセスすることを許可され、
移動端末は、少なくとも１つの第１の基地局によって転送される信号を特定できるようにする、該少なくとも１つの基地局の情報を記憶し、
移動端末は、第２の基地局によって転送される信号を特定できるようにする情報を記憶しない
装置において、
移動端末が無線セルラー通信ネットワークにアクセスできるようにするための装置は、第２の基地局に含まれ、
装置は、
１つの第１の基地局によって転送されるべき信号を転送するように、第２の基地局に対して要求するメッセージを、コアネットワーク装置から受信する手段と、
第１の基地局を特定する情報を取得する手段と、
第１の基地局を特定する信号をブロードキャストする手段と、
第１の基地局によって転送されるべき信号を移動端末に転送する手段と、
第１の基地局に向けられる信号を移動端末から受信する手段と
を備えることを特徴とする、装置にも関する。
【００１５】
このため、移動端末は、第１の基地局が依然として動作可能であるかのように、全く同じ方法によって無線セルラー通信ネットワークにアクセスすることができる。その移動端末にとって、第１の基地局が動作可能でないという事実は完全にトランスペアレントである。このため、第１の基地局と接続及び通信するための通常の手順の他には、移動端末においていかなる特別な仕組みも用いられる必要はない。
【００１６】
特定の特徴によれば、第２の基地局は、
第２の基地局を特定する信号をブロードキャストし、
別の移動端末に信号を転送し、
第２の基地局に向けられる信号を、その別の移動端末から受信する。
【００１７】
このため、第２の基地局の正規の挙動は損なわれない。第１の基地局が動作可能でない場合であっても、第２の基地局は依然として、第２の基地局を通じて無線セルラー通信ネットワークにアクセスする移動端末と通信することができ、それと同時に、第２の基地局は、第２の基地局を通じて無線セルラー通信ネットワークにアクセスする別の移動端末と通信することができる。
【００１８】
特定の特徴によれば、第１の基地局を特定するブロードキャストされる信号は、少なくとも１つの第１のフレームの少なくとも１つの第１のシンボルの形をとり、第２の基地局を特定するブロードキャストされる信号は、少なくとも１つの第２のフレームの少なくとも１つの第２のシンボルの形をとり、且つ、上記第１のフレーム及び第２のフレームが同期するか、又は上記第１のシンボル及び第２のシンボルが同期するか、又は上記第１のフレーム及び第２のフレーム、並びに上記第１のシンボル及び第２のシンボルが同期する。
【００１９】
このため、第１の基地局を特定するブロードキャスト信号と、第２の基地局を特定するブロードキャスト信号との間の干渉を、さらに容易に緩和することができる。
【００２０】
特定の特徴によれば、第１の基地局によって移動端末に転送されるべき信号は、少なくとも１つの第１のフレームの少なくとも１つの第１のシンボルの形をとり、第２の基地局によって別の移動端末に転送される信号は、少なくとも１つの第２のフレームの少なくとも１つの第２のシンボルの形をとり、且つ、上記第１のフレーム及び第２のフレームが同期するか、又は上記第１のシンボル及び第２のシンボルが同期するか、又は上記第１のフレーム及び第２のフレーム、並びに上記第１のシンボル及び第２のシンボルが同期する。
【００２１】
このため、第１の基地局によって移動端末に転送されるべき信号と別の端末に転送される信号との間の干渉を低減することができる。実際に、それらの信号が、たとえば、フレームレベル及び／又はシンボルレベルにおいて同期している場合には、干渉を緩和する方法でダウンリンク資源を割り当てる共同スケジューラ（joint scheduler）を設計するのがはるかに容易である。
【００２２】
さらに、第１の基地局に向けられる信号と第２の基地局に向けられる信号との間の干渉を低減することができる。実際に、第２の基地局において受信されるときに、それらの信号が、たとえば、フレームレベル及び／又はシンボルレベルにおいて同期している場合には、干渉を緩和する方法でアップリンク資源を割り当てる共同スケジューラを設計するのがはるかに容易である。
【００２３】
本発明は、移動端末が、複数の基地局と１つのコアネットワーク装置とを含む無線セルラー通信ネットワークにアクセスできるようにするための方法であって、
移動端末は、少なくとも１つの第１の基地局を通じて無線セルラー通信ネットワークにアクセスすることを許可され、
移動端末は、各第１の基地局によって転送される信号を特定できるようにする情報を含むリストを記憶し、
移動端末は、複数の第２の基地局によって転送される信号を特定できるようにする情報を記憶しない
方法において、
該方法は、コアネットワーク装置によって実行される複数のステップとして、
移動端末に信号を転送すべき１つの第１の基地局が動作可能でないかどうかを判定するステップと、
移動端末に信号を転送すべき第１の基地局が動作可能でない場合には、第１の基地局のうちの１つであって、その第１の基地局によって転送される信号を特定できるようにする情報がリスト内に含まれる、そのような第１の基地局のうちの１つによって転送されるべき信号を転送するように、第２の基地局に対して要求するメッセージを転送するステップと、
第１の基地局のうちの１つであって、その第１の基地局によって転送される信号を特定できるようにする情報がリスト内に含まれる、そのような第１の基地局のうちの１つによって転送されるべき信号を転送する第２の基地局を通じて、移動端末が無線セルラー通信ネットワークにアクセスすることを許可するステップと
を含むことを特徴とする、方法にも関する。
【００２４】
本発明は、移動端末が、複数の基地局と１つのコアネットワーク装置とを含む無線セルラー通信ネットワークにアクセスできるようにするための装置であって、
移動端末は、少なくとも１つの第１の基地局を通じて無線セルラー通信ネットワークにアクセスすることを許可され、
移動端末は、各第１の基地局によって転送される信号を特定できるようにする情報を含むリストを記憶し、
移動端末は、複数の第２の基地局によって転送される信号を特定できるようにする情報を記憶しない
装置において、
移動端末が無線セルラー通信ネットワークにアクセスできるようにするための装置は、コアネットワーク装置に含まれ、
装置は、
移動端末に信号を転送すべき１つの第１の基地局が動作可能でないかどうかを判定する手段と、
移動端末に信号を転送すべき第１の基地局が動作可能でない場合には、第１の基地局のうちの１つであって、その第１の基地局によって転送される信号を特定できるようにする情報がリスト内に含まれる、そのような第１の基地局のうちの１つによって転送されるべき信号を転送するように、第２の基地局に対して要求するメッセージを転送する手段と、
第１の基地局のうちの１つであって、その第１の基地局によって転送される信号を特定できるようにする情報がリスト内に含まれる、そのような第１の基地局のうちの１つによって転送されるべき信号を転送する第２の基地局を通じて、移動端末が無線セルラー通信ネットワークにアクセスすることを許可する手段と
を含むことを特徴とする、装置にも関する。
【００２５】
このため、移動端末は、その移動端末が関連付けられない第２の基地局を認識することなく、この第２の基地局を通じて無線セルラー通信ネットワークにアクセスすることができる。
【００２６】
このため、本発明によれば、移動端末は、第１の基地局が動作可能でない場合であっても、第２の基地局を認識せずに、無線セルラー通信ネットワークにアクセスできるようになる。
【００２７】
特定の特徴によれば、１つの第１の基地局によって転送されるべき信号は、動作可能でない第１の基地局によって転送されるべき信号である。
【００２８】
このため、信号の選択は簡単であり、動作可能でない第１の基地局に複数の移動端末が関連付けられるとき、その移動端末又は各移動端末は、それらの信号を特定することができる。
【００２９】
そうでなく、それらの信号が、動作可能でない基地局とは異なる１つの第１の基地局によって転送される信号である場合には、コアネットワーク装置は、動作可能でない第１の基地局と関連付けられるその移動端末又は各移動端末が、動作可能でない基地局とは異なる第１の基地局とも関連付けられることを確認しなければならない。
【００３０】
特定の特徴によれば、１つの第１の基地局によって転送されるべき信号は、動作可能でない基地局とは異なる１つの第１の基地局によって転送されるべき信号である。
【００３１】
このため、第１の基地局が動作可能となる場合でも、第２の基地局によって転送される信号と、第１の基地局が再び動作可能となるときに第１の基地局によって転送される信号との間に干渉の問題はない。
【００３２】
特定の特徴によれば、第１の基地局によって転送されるべきであり、且つ第２の基地局によって転送される信号は、第１の基地局を特定するブロードキャストされる信号、及び／又は移動端末が関与する通信に関連するデータを表す信号である。
【００３３】
このため、移動端末は、その移動端末が関連付けられないこの第２の基地局を認識することなく、この第２の基地局を通じて無線セルラー通信ネットワークにアクセスすることができる。
【００３４】
特定の特徴によれば、コアネットワーク装置は、第１の基地局であって、その第１の基地局によって転送される信号を特定できるようにする情報がリスト内に含まれる、そのような第１の基地局の中から、信号を転送すべき第１の基地局を選択し、選択された第１の基地局は、第１の基地局を特定する信号を転送する第１の基地局であり、第１の基地局を特定する該信号は、第２の基地局を特定し且つ第２の基地局によって転送される信号と、可能な限り直交する。
【００３５】
このため、特に第１の基地局を特定する信号及び第２の基地局を特定する信号が同期して送信される場合には、それらの信号間の干渉は緩和される。
【００３６】
この低い干渉によって、第１の基地局を特定する信号又は第２の基地局を特定する信号と、より容易に同期できるようになり、それゆえ、移動端末と容易に接続できるようになる。
【００３７】
さらに別の態様によれば、本発明は、プログラム可能な装置に直にロード可能とすることができるコンピュータプログラムであって、該コンピュータプログラムがプログラム可能な装置において実行されるときに本発明による方法のステップを実施するための命令又はコード部分を含む、コンピュータプログラムに関する。
【００３８】
コンピュータプログラムに関連する特徴及び利点は、本発明による方法及び装置に関係付けて上記で記載したものと同じであるので、ここでは繰り返さない。
【００３９】
本発明の特徴は、一例の実施形態に関する以下の説明を読むことによって、さらに明らかに浮かび上がるはずであり、その説明は添付の図面を参照しながら提示される。
【図面の簡単な説明】
【００４０】
【図１】本発明が実施される無線セルラー通信ネットワークを表す。
【図２】本発明が実施される基地局のアーキテクチャを表す図である。
【図３】本発明が実施されるコアネットワーク装置のアーキテクチャを表す図である。
【図４ａ】本発明によるアルゴリズムの一例を開示する。このアルゴリズムは、コアネットワーク装置によって管理されるエリア内に位置する移動端末毎に、そのコアネットワーク装置によって実行される。
【図４ｂ】本発明の実現形態の変形形態によるアルゴリズムの一例を開示する。このアルゴリズムは、コアネットワーク装置によって管理されるエリア内に位置する基地局の少なくとも一部のために、そのコアネットワーク装置によって実行される。
【図５】本発明によるアルゴリズムの一例を開示する。このアルゴリズムは、コアネットワーク装置によって管理されるエリア内に位置する移動端末毎に、基地局によって実行される。
【図６】本発明によるアルゴリズムの一例を開示する。このアルゴリズムは、その基地局に代わる別の基地局が動作可能となるときに、その基地局によって実行される。
【発明を実施するための形態】
【００４１】
図１は、本発明が実施される無線セルラー通信ネットワークを表す。
【００４２】
図１では、無線セルラー通信ネットワークの４つの基地局ＢＳ１、ＢＳ２、ＢＳ３及びＢＳ４並びに２つの移動端末ＭＴ１及びＭＴ２が示される。
【００４３】
基地局ＢＳは、たとえば、フェムト基地局(femto base station)又はピコ基地局(pico base station)のようなホーム基地局ＢＳである。これらの基地局ＢＳは、たとえば、家の中に配置され、それらの基地局によって移動端末ＭＴが無線セルラー通信ネットワークにアクセスできるようにすることができる。
【００４４】
図１には、２つの移動端末ＭＴ１及びＭＴ２が示される。各移動端末ＭＴは、ホワイトリストと呼ばれるリストを記憶する。このリストは、各基地局ＢＳのうち、それを通じて移動端末ＭＴが無線セルラー通信ネットワークにアクセスすることを許される各基地局ＢＳを特定する。
【００４５】
たとえば、移動端末ＭＴ１のホワイトリストは基地局ＢＳ１及びＢＳ４を特定し、移動端末ＭＴ２のホワイトリストは基地局ＢＳ１を特定する。
【００４６】
たとえば、基地局ＢＳが移動端末ＭＴの所有者に属するとき、又は基地局ＢＳが移動端末ＭＴの所有者の家族若しくは友人に属するとき、その基地局ＢＳは、その移動端末ＭＴのホワイトリストにおいて特定される。
【００４７】
基地局ＢＳが移動端末ＭＴのホワイトリストにおいて特定されるとき、その移動端末ＭＴは、その基地局ＢＳによって転送される信号を認識することができる。
【００４８】
基地局ＢＳが移動端末ＭＴのホワイトリストにおいて特定されないとき、その移動端末は、その基地局ＢＳによって転送される信号を認識することができないか、又はそれらの信号を考慮しない。
【００４９】
基地局ＢＳ１はエリアＡＲ１内に位置しており、基地局ＢＳ２はエリアＡＲ２内に位置し、移動端末ＭＴ１及びＭＴ２のホワイトリストにおいて特定されない。基地局ＢＳ３はエリアＡＲ３に位置し、移動端末ＭＴ１及びＭＴ２のホワイトリストにおいて特定されない。
【００５０】
基地局ＢＳ１が動作可能であるとき、基地局ＢＳ１によって転送される信号は、エリアＡＲ１又はＡＲ２内に位置するいずれの移動端末ＭＴによっても受信される。
【００５１】
基地局ＢＳ２が動作可能であるとき、基地局ＢＳ２によって転送される信号は、エリアＡＲ１又はＡＲ２内に位置するいずれの移動端末ＭＴによっても受信される。
【００５２】
基地局ＢＳ３が動作可能であるとき、基地局ＢＳ３によって転送される信号は、エリアＡＲ１又はＡＲ３内に位置するいずれの移動端末ＭＴによっても受信される。
【００５３】
基地局ＢＳ４が動作可能であるとき、基地局ＢＳ４によって転送される信号は、エリアＡＲ１、ＡＲ２又はＡＲ３内に位置するいかなる移動端末ＭＴによっても受信されない。
【００５４】
その際、基地局ＢＳ１、ＢＳ２及びＢＳ３が動作可能であるとき、エリアＡＲ１に位置する移動端末ＭＴ１及びＭＴ２は、それらの基地局ＢＳによって転送される信号を受信することができる。
【００５５】
エリアＡＲ１、ＡＲ２及びＡＲ３は、たとえば、建物内の部屋(apartment)である。
【００５６】
各基地局ＢＳ１、ＢＳ２、ＢＳ３及びＢＳ４は、図１には示されない通信ネットワークを通じて、無線セルラー通信ネットワークのコアネットワーク装置ＣＮに接続される。
【００５７】
基地局ＢＳ１は、通信ネットワーク上で確立されるリンクＳ１1を通じて、コアネットワーク装置ＣＮにリンクされる。
【００５８】
基地局ＢＳ２は、通信ネットワーク上で確立されるリンクＳ１2を通じて、コアネットワーク装置ＣＮにリンクされる。
【００５９】
基地局ＢＳ３は、通信ネットワーク上で確立されるリンクＳ１3を通じて、コアネットワーク装置ＣＮにリンクされる。
【００６０】
基地局ＢＳ４は、通信ネットワーク上で確立されるリンクＳ１4を通じて、コアネットワーク装置ＣＮにリンクされる。
【００６１】
基地局ＢＳ１は、通信ネットワーク上で確立されるリンクＸ２12を通じて、基地局ＢＳ２にリンクされる場合がある。
【００６２】
基地局ＢＳ１は、通信ネットワーク上で確立されるリンクＸ２13を通じて、基地局ＢＳ３にリンクされる場合がある。
【００６３】
基地局ＢＳ２は、通信ネットワーク上で確立されるリンクＸ２23を通じて、基地局ＢＳ３にリンクされる場合がある。
【００６４】
基地局ＢＳ１、ＢＳ２及びＢＳ３は、通信ネットワーク上で確立される、図１には示されないそれぞれのリンクを通じて、基地局ＢＳ４にリンクされる場合がある。
【００６５】
基地局ＢＳ１が動作可能でないとき、たとえば、基地局ＢＳ１の電源が切られているか、基地局ＢＳ１が壊れているか、基地局ＢＳ１が基地局ＢＳ１を特定する信号を転送しない動作モードにあるか、又は通信ネットワークから切断されているとき、エリアＡＲ１内に位置する移動端末ＭＴ１は、別の基地局ＢＳ２、ＢＳ３又はＢＳ４を通じて、無線セルラー通信ネットワークにアクセスすることはできない。基地局ＢＳ２及びＢＳ３は移動端末ＭＴ１のホワイトリストにおいて特定されず、移動端末ＭＴ１は基地局ＢＳ４から離れすぎている。エリアＡＲ１に位置する移動端末ＭＴ２は、別の基地局ＢＳ２、ＢＳ３又はＢＳ４を通じて無線セルラー通信ネットワークにアクセスすることはできない。基地局ＢＳ２、ＢＳ３及びＢＳ４は、移動端末ＭＴ２のホワイトリストにおいて特定されない。
【００６６】
移動端末ＭＴが無線セルラー通信ネットワークにアクセスするとき、その移動端末ＭＴは、リモートの通信装置との通信を確立するか、若しくは受信することができ、且つ／又はデータをダウンロードすることができる。
【００６７】
基地局ＢＳを特定する情報は、無線セルラー通信ネットワークの全ての基地局ＢＳの中からその基地局ＢＳを一意に特定することができるか、又は、無線セルラー通信ネットワークの限られた数の基地局ＢＳの中から、たとえば、所与のエリア内に位置する基地局ＢＳの中から、その基地局ＢＳを一意に特定することができる。
【００６８】
基地局ＢＳを特定する情報によって、移動端末ＭＴは、その基地局ＢＳによって転送される信号を認識できるようになる。基地局ＢＳを特定する情報は、たとえば、その基地局ＢＳとその移動端末ＭＴとの間のチャネルを推定するために用いられるレファレンス信号とすることもできる。
【００６９】
ある基地局ＢＳが移動端末ＭＴのホワイトリストにおいて特定されないとき、その移動端末ＭＴは、その基地局ＢＳによって転送される信号を検出できないか、又は検出しない。
【００７０】
本発明によれば、コアネットワーク装置ＣＮは、基地局ＢＳ（移動端末ＭＴの近傍(vicinity)に位置し、且つその移動端末ＭＴのホワイトリストにおいて特定されるもの）が動作可能でないときに、それを検出する。
【００７１】
その場合、コアネットワーク装置ＣＮは、その移動端末ＭＴのホワイトリストにおいて特定されない基地局ＢＳに対し、その移動端末ＭＴのホワイトリストにおいて特定される１つの基地局ＢＳによって転送されるべき信号を転送するように要求する。
【００７２】
本発明によれば、移動端末ＭＴのホワイトリストにおいて特定されない１つの基地局は、
その移動端末ＭＴのホワイトリストにおいて特定される１つの基地局ＢＳによって転送されるべき信号を転送するように、該特定されない基地局に対して要求するメッセージを、コアネットワーク装置から受信し、
その移動端末ＭＴのホワイトリストにおいて特定される基地局ＢＳを特定する情報を取得し、
その移動端末ＭＴのホワイトリストにおいて特定される基地局ＢＳを特定する信号をブロードキャストし、
その移動端末ＭＴのホワイトリストにおいて特定される基地局ＢＳによって転送されるべき信号（たとえば、その移動端末が関与する通信に関連するデータを表す信号）を、その移動端末ＭＴに転送し、
その移動端末ＭＴから、その移動端末ＭＴのホワイトリストにおいて特定される基地局ＢＳに向けられる信号を受信する。
【００７３】
好ましくは、
移動端末ＭＴのホワイトリストにおいて特定されない基地局ＢＳは、
その移動端末ＭＴのホワイトリストにおいて特定されない基地局を特定する信号をブロードキャストし、
別の移動端末ＭＴに信号を転送し、
その別の移動端末ＭＴから、その移動端末ＭＴのホワイトリストにおいて特定されない基地局ＢＳに向けられる信号を受信する。
【００７４】
基地局を特定するブロードキャスト信号は、同期してブロードキャストされることが好ましい。
【００７５】
ブロードキャストチャネルは、全ての移動端末ＭＴに共通しているか、又は少なくとも２つの移動端末ＭＴに共通している、基地局ＢＳから信号を受信するためのチャネルである。
【００７６】
ブロードキャストは、基地局ＢＳによって知られているか、又は知られていない少なくとも２つの移動端末ＭＴへの送信として理解される。
【００７７】
本発明によれば、コアネットワーク装置は、
移動端末ＭＴのホワイトリストにおいて特定される、その移動端末ＭＴに信号を転送すべき基地局が動作可能でないかどうかを判定し、
その移動端末ＭＴに信号を転送すべき基地局が動作可能でない場合には、その移動端末ＭＴのホワイトリストにおいて特定されない基地局に対し、第１の基地局のうちの１つであって、その第１の基地局によって転送される信号を特定できるようにする情報がリスト内に含まれる、そのような基地局のうちの１つによって転送されるべき信号を転送するように要求するメッセージを転送し、
基地局のうちの１つであって、その基地局によって転送される信号を特定できるようにする情報がリスト内に含まれる、そのような基地局のうちの１つによって転送されるべき信号を転送する基地局を通じて、その移動端末が無線セルラー通信ネットワークにアクセスできるようにする。
【００７８】
図２は、本発明が実施される基地局のアーキテクチャを表す図である。
【００７９】
基地局ＢＳは、たとえば、バス２０１によって互いに接続される構成要素と、及び図５及び図６に開示されるようなプログラムによって制御されるプロセッサ２００とに基づくアーキテクチャを有する。
【００８０】
バス２０１は、プロセッサ２００を、読出し専用メモリＲＯＭ２０２、ランダムアクセスメモリＲＡＭ２０３、無線インターフェース２０５、及びネットワークインターフェース２０６にリンクする。
【００８１】
メモリ２０３は、変数を収容するように意図されるレジスタと、図５及び図６に開示されるようなアルゴリズムに関連するプログラムの命令とを含む。
【００８２】
メモリ２０３は、各移動端末ＭＴのホワイトリストにおいて特定される各基地局ＢＳを特定する情報を含むことができる。
【００８３】
プロセッサ２００は、ネットワークインターフェース２０６の動作及び無線インターフェース２０５の動作を制御する。
【００８４】
読出し専用メモリ２０２は、図５及び図６において開示されるようなアルゴリズムに関連するプログラムの命令を含み、それは、基地局ＢＳの電源が投入されるときに、ランダムアクセスメモリ２０３に転送される。
【００８５】
基地局ＢＳは、ネットワークインターフェース２０６を通じて、通信ネットワークに接続することができる。たとえば、ネットワークインターフェース２０６は、ＤＳＬ（デジタル加入者線）モデム、又はＩＳＤＮ（統合サービスデジタル網）インターフェース等である。ネットワークインターフェース２０６を通じて、基地局ＢＳは、コアネットワーク装置ＣＮに、若しくは他の基地局ＢＳにメッセージを転送することもできるし、又は他の基地局ＢＳから、若しくはコアネットワーク装置ＣＮからメッセージを受信することもできる。
【００８６】
これらのメッセージは、基地局ＢＳとコアネットワーク装置ＣＮとの間、又はその基地局ＢＳと他の基地局ＢＳとの間の通信ネットワーク上で確立されるリンクＳ１又はＸ２を通じて転送される。
【００８７】
無線インターフェース２０５及びネットワークインターフェース２０６は、移動端末ＭＴがリモートの通信装置との通信を確立するか、又は受信するときに、無線通信ネットワークにアクセスするために、その移動端末ＭＴによって用いられる基地局ＢＳの資源である。
【００８８】
無線インターフェース２０５は、その基地局ＢＳを特定し且つ／又は別の基地局ＢＳを特定する信号を転送する手段を備える。
【００８９】
無線インターフェース２０５は、「移動端末ＭＴのホワイトリストにおいて特定されるが動作可能でない基地局ＢＳ」によって転送されるべき信号を、その移動端末ＭＴに転送する手段を備える。
【００９０】
無線インターフェース２０５は、移動端末から、「その移動端末ＭＴのホワイトリストにおいて特定されるが動作可能でない基地局ＢＳ」に向けられる信号を受信する手段を備える。
【００９１】
図３は、本発明が実施されるコアネットワーク装置のアーキテクチャを表す図である。
【００９２】
コアネットワーク装置ＣＮは、たとえば、バス３０１によって互いに接続される構成要素と、図４ａ及び図４ｂに開示されるようなプログラムによって制御されるプロセッサ３００とに基づくアーキテクチャを有する。
【００９３】
バス３０１は、プロセッサ３００を、読出し専用メモリＲＯＭ３０２、ランダムアクセスメモリＲＡＭ３０３、及びネットワークインターフェース３０６にリンクする。
【００９４】
メモリ３０３は、変数を収容するように意図されるレジスタと、図４ａ及び図４ｂに開示されるようなアルゴリズムに関連するプログラムの命令とを含む。
【００９５】
メモリ３０３は、各移動端末ＭＴのホワイトリストを含むことができる。
【００９６】
プロセッサ３００は、ネットワークインターフェース３０６の動作を制御する。
【００９７】
読出し専用メモリ３０２は、図４ａ及び図４ｂにおいて開示されるようなアルゴリズムに関連するプログラムの命令を含み、それは、コアネットワーク装置ＣＮの電源が投入されるときに、ランダムアクセスメモリ３０３に転送される。
【００９８】
コアネットワーク装置ＣＮは、ネットワークインターフェース３０６を通じて、図１に示されない通信ネットワークに接続することができる。たとえば、ネットワークインターフェース３０６は、ＤＳＬ（デジタル加入者線）モデム、又はＩＳＤＮ（統合サービスデジタル網）インターフェース等である。ネットワークインターフェース３０６を通じて、コアネットワーク装置ＣＮは、少なくとも１つの基地局ＢＳへのメッセージを転送又は受信することができる。
【００９９】
メッセージは、コアネットワーク装置ＣＮと基地局ＢＳとの間の通信ネットワーク上で確立されるリンクＳ１を通じて転送される。
【０１００】
図４ａは、本発明による、コアネットワーク装置によって管理されるエリア内に位置する移動端末毎にそのコアネットワーク装置によって実行されるアルゴリズムの一例を開示する。
【０１０１】
より厳密には、本アルゴリズムは、コアネットワーク装置ＣＮによって管理されるエリア内に位置する移動端末ＭＴ毎に、コアネットワーク装置ＣＮのプロセッサ３００によって実行される。
【０１０２】
ステップＳ４００において、プロセッサ３００は、移動端末ＭＴのホワイトリスト、たとえば、移動端末ＭＴ１のホワイトリストを取得する。
【０１０３】
プロセッサ３００は、各移動端末ＭＴ１のホワイトリストを含むデータベースにおいて、移動端末ＭＴ１のホワイトリストを（たとえば移動端末ＭＴ１の識別子を鍵として用いて）得る。
【０１０４】
次のステップＳ４０１において、プロセッサ３００は、基地局ＢＳのリスト（移動端末ＭＴ１のホワイトリストの一部分である）を１つ選択する。
【０１０５】
プロセッサ３００は、移動端末ＭＴ１のホワイトリストにおいて特定される少なくとも１つの基地局の中から、移動端末ＭＴ１の近傍に位置する１つ又は複数の基地局ＢＳを選択することによって、１つ又は複数の基地局ＢＳを選択する。その場合、プロセッサ３００は、基地局ＢＳ１を選択する。
【０１０６】
次のステップＳ４０２において、プロセッサ３００は、ステップＳ４０１において構築される基地局ＢＳのリストが空であるか否かを調べる。
【０１０７】
ステップＳ４０１において構築されたリストが空である場合には、プロセッサ３００は、本アルゴリズムを中断し、別の移動端末ＭＴ（たとえば移動端末ＭＴ２）を選択し、新たに選択された移動端末ＭＴ２のために本アルゴリズムを実行する。
【０１０８】
そうでない場合には、プロセッサ３００はステップＳ４０３に進む。
【０１０９】
ステップＳ４０３において、プロセッサ３００は、ステップＳ４０１において構築された基地局ＢＳのリスト内の少なくとも１つの基地局が動作可能であるか否かを調べる。たとえば、プロセッサ３００は、基地局ＢＳ１が動作可能であるか否かを調べる。
【０１１０】
プロセッサ３００は、ステップＳ４０１において構築された基地局ＢＳのリスト内の１つ又は複数の基地局ＢＳが動作可能であるか否かを、次のようにして調べてもよい。すなわち、該１つ又は複数の基地局ＢＳがコアネットワーク装置ＣＮによって転送されるあるメッセージ又は信号に応答するか否かを調べることによってである。
【０１１１】
プロセッサ３００は、ステップＳ４０１において構築された基地局ＢＳのリスト内の１つ又は複数の基地局ＢＳが動作可能であるか否かを、次のようにして調べてもよい。すなわち、１つ又は複数のこれらの基地局ＢＳとコアネットワーク装置ＣＮとの間のリンクＳ１が動作可能であるか否かを調べることによってである。
【０１１２】
ステップＳ４０１において構築された基地局ＢＳのリスト内の少なくとも１つの基地局ＢＳが動作可能である場合には、プロセッサ３００は、本アルゴリズムを中断し、別の移動端末ＭＴ２を選択し、新たに選択された移動端末ＭＴのために本アルゴリズムを実行する。
【０１１３】
ステップＳ４０１において構築された基地局ＢＳのリスト内の基地局がいずれも動作可能でない場合には、プロセッサ３００はステップＳ４０５に進む。
【０１１４】
ステップＳ４０５において、プロセッサ３００は、ホワイトリストにおいて特定される基地局ＢＳに代わることができる適切な基地局ＢＳを、１つ選択する。このホワイトリストにおいて特定される基地局ＢＳは、移動端末ＭＴ１の近傍に位置しており、かつ動作可能でないものである。
【０１１５】
プロセッサ３００は、ステップＳ４０１において形成されるリストの基地局ＢＳの隣接基地局である基地局ＢＳの中から、他の基地局ＢＳによって転送される信号の中で最も高い電力強度をもって移動端末ＭＴ１が受信することができる信号を転送する基地局ＢＳを選択する。且つ／又は、プロセッサ３００は、ステップＳ４０１において形成されるリストの基地局ＢＳの隣接基地局である基地局ＢＳの中から、使用負荷が最も低い基地局ＢＳを選択する。且つ／又は、プロセッサ３００は、ステップＳ４０１において形成されるリストの基地局ＢＳの隣接基地局である基地局ＢＳの中から、最も高い品質で移動端末ＭＴが受信することができる信号を転送する基地局ＢＳを選択する。
【０１１６】
次のステップＳ４０６において、プロセッサ３００は、移動端末ＭＴ１のホワイトリストの基地局ＢＳの中から、ステップＳ４０５において選択された基地局ＢＳの信号と可能な限り直交する、そのような基地局ＢＳを特定する信号を転送する基地局ＢＳを選択する。
【０１１７】
次のステップＳ４０７において、プロセッサ３００は、ステップＳ４０５において選択された基地局ＢＳにメッセージを転送するように命令し、そのメッセージによって、その基地局ＢＳが、別の基地局（すなわちステップＳ４０６において選択された基地局ＢＳ）を特定する信号を転送しなければならないことをその基地局ＢＳに通知する。
【０１１８】
ステップＳ４０６において選択された基地局ＢＳを特定する情報と、ステップＳ４０６において選択された基地局ＢＳによって送信されるメッセージを復号できるようにするために移動端末ＭＴ１によって必要とされる他の情報とは、コアネットワーク装置ＣＮによって、ステップＳ４０５において選択された基地局ＢＳに転送することができる。
【０１１９】
たとえば、ステップＳ４０５において基地局ＢＳ２が選択される場合があり、ステップＳ４０６において選択される基地局ＢＳは、動作可能でない基地局ＢＳ１である。
【０１２０】
たとえば、ステップＳ４０５において基地局ＢＳ２が選択される場合があり、ステップＳ４０６において選択される基地局ＢＳは、基地局ＢＳ２の信号と最も直交する、基地局ＢＳ４を特定する信号を転送する基地局ＢＳ４である。
【０１２１】
同じステップにおいて、プロセッサ３００は、ステップＳ４０５において選択された基地局ＢＳ２にメッセージを転送するように命令し、そのメッセージによって、基地局ＢＳ２が、ステップＳ４０６において選択された基地局ＢＳによって転送されるべき信号を、移動端末ＭＴに転送しなければならないということを、基地局ＢＳ２に通知する。
【０１２２】
同じステップにおいて、プロセッサ３００は、ステップＳ４０５において選択された基地局ＢＳ２にメッセージを転送するように命令し、そのメッセージによって、基地局ＢＳ２が、移動端末ＭＴから受信されステップＳ４０６において選択された基地局ＢＳに向けられる信号を処理しなければならないということを、基地局ＢＳ２に通知する。
【０１２３】
ここで、ステップＳ４０６において選択された基地局ＢＳ１を特定する信号、及び、ステップＳ４０６において選択された基地局ＢＳによって移動端末ＭＴに転送されるべき信号は、ステップＳ４０５において選択された基地局ＢＳ２を特定する信号、及び、ステップＳ４０５において選択された基地局ＢＳ２によって転送される信号と同時に、移動端末ＭＴ（ステップＳ４０５において選択された基地局ＢＳ２がその移動端末ＭＴのホワイトリストにおいて特定されるもの）に転送されてもよいことに留意されたい。
【０１２４】
同様に、移動端末ＭＴから受信されステップＳ４０６において選択された基地局ＢＳに向けられる信号は、移動端末ＭＴ（ステップＳ４０５において選択された基地局ＢＳ２がその移動端末ＭＴのホワイトリストにおいて特定されるもの）から受信される信号と同時に受信されてもよい。
【０１２５】
次のステップＳ４０８において、プロセッサ３００は、その移動端末ＭＴが、ステップＳ４０５において選択された基地局ＢＳを通じて無線セルラー通信ネットワークにアクセスすることを許可する。
【０１２６】
プロセッサ３００は、ステップＳ４０６において選択された基地局ＢＳに転送されるべきデータを、ステップＳ４０５において選択された基地局ＢＳに宛先変更する(redirect)。
【０１２７】
その後、プロセッサ３００は、本アルゴリズムを中断し、別の移動端末ＭＴを選択し、新たに選択された移動端末ＭＴのために本アルゴリズムを実行する。
【０１２８】
図４ｂは、本発明の実現形態の変形形態による、コアネットワーク装置によって管理されるエリア内に位置する基地局ＢＳの少なくとも一部のためにそのコアネットワーク装置によって実行されるアルゴリズムの一例を開示する。
【０１２９】
より厳密には、本アルゴリズムは、コアネットワーク装置ＣＮのプロセッサ３００によって実行される。
【０１３０】
ステップＳ４２０において、プロセッサ３００は、コアネットワーク装置ＣＮが管理するエリア内に位置する、動作可能でない基地局が１つ存在するか否かを調べる。
【０１３１】
動作可能でない基地局ＢＳが存在しない場合には、プロセッサはステップＳ４２０に戻る。
【０１３２】
基地局ＢＳの１つが動作可能でない場合には、プロセッサ３００はステップＳ４２１に進む。
【０１３３】
たとえば、基地局ＢＳ１は動作可能でない。
【０１３４】
ステップＳ４２１において、プロセッサ３００は、動作可能でない基地局ＢＳ１に代わることができる少なくとも１つの適切な基地局ＢＳを選択する。
【０１３５】
たとえば、プロセッサ３００は、１つ又は複数の移動端末ＭＴ（基地局ＢＳ１がその移動端末ＭＴのホワイトリストにおいて特定されるもの）のために、動作可能でない基地局ＢＳ１に代わることができる適切な基地局ＢＳを１つ選択する。
【０１３６】
たとえば、プロセッサ３００は、移動端末ＭＴ（基地局ＢＳ１がその移動端末ＭＴのホワイトリストにおいて特定されるもの）毎に、基地局ＢＳ１に代わることができる適切な基地局ＢＳを１つ選択する。移動端末ＭＴが異なると、選択される基地局ＢＳも異なることがある。
【０１３７】
次のステップＳ４２２において、プロセッサ３００は、ステップＳ４２１において選択された１つ又は複数の基地局ＢＳにメッセージを転送するように命令し、そのメッセージによって、その基地局ＢＳが別の基地局を特定する信号を転送しなければならないということを、その基地局ＢＳに通知する。
【０１３８】
ステップＳ４２１において、単一の基地局ＢＳが選択されるとき、別の基地局を特定する信号は、動作可能でない基地局ＢＳを特定する信号であるか、又は、移動端末ＭＴのホワイトリストにおいて特定される１つの基地局ＢＳを特定する信号である。
【０１３９】
ステップＳ４２１において複数の基地局ＢＳが選択されるとき、選択される基地局ＢＳのそれぞれは、移動端末ＭＴのホワイトリストにおいて特定される基地局をそれぞれ１つ特定する信号を転送する。
【０１４０】
次のステップＳ４２３において、プロセッサ３００は、ステップＳ４２１において選択された基地局ＢＳを通じて、又はステップＳ４２１において選択された複数の基地局ＢＳのうちの１つを通じて、移動端末ＭＴが無線セルラー通信ネットワークにアクセスすることを許可する。
【０１４１】
プロセッサ３００は、動作可能でない基地局ＢＳに転送されるべきデータを、ステップＳ４２１において選択された基地局ＢＳに、又はステップＳ４２１において選択された複数の基地局ＢＳのうちの１つに、宛先変更する。
【０１４２】
その後、プロセッサ３００はステップＳ４２０に戻る。
【０１４３】
ここで、一変形形態では、本アルゴリズムは、その基地局ＢＳが動作可能であるか否かを考慮することなく、基地局ＢＳ毎に実行されることに留意されたい。
【０１４４】
図５は、本発明による、基地局によって実行されるアルゴリズムの一例を開示する。
【０１４５】
より厳密には、本アルゴリズムは、各基地局ＢＳのプロセッサ２００によって実行される。
【０１４６】
たとえば、本アルゴリズムは、基地局ＢＳ２のプロセッサ２００によって実行される。
【０１４７】
ステップ５００において、プロセッサ２００は、基地局ＢＳ２が別の基地局ＢＳを特定する信号を転送しなければならないということを基地局ＢＳ２に通知するメッセージが、受信されているか否かを調べる。
【０１４８】
このメッセージは、図４ａのアルゴリズムのステップＳ４０７において、又は図４ｂのアルゴリズムのステップＳ４２２においてコアネットワーク装置ＣＮによって転送されるメッセージである。
【０１４９】
基地局ＢＳ２が別の基地局を特定する信号を転送しなければならないということを基地局ＢＳ２に通知するメッセージが受信されている場合には、プロセッサ２００はステップＳ５０１に進む。そうでない場合には、プロセッサ２００は、ステップＳ５１０に進む。
【０１５０】
ステップＳ５０１において、プロセッサ２００は、別の基地局ＢＳを特定する情報を得る。
【０１５１】
別の基地局ＢＳは、その別の基地局ＢＳが使用できないときに基地局ＢＳ２が代わらなければならない基地局とすることができるか、又は、移動端末ＭＴ（基地局ＢＳ２が代わらなければならない基地局ＢＳに接続すべきであるもの）のホワイトリストにおいて特定される基地局ＢＳとすることができる。
【０１５２】
基地局ＢＳ２が代わらなければならない基地局ＢＳ、たとえば、基地局ＢＳ１を特定する情報は、ステップＳ５００において受信されるメッセージ内に含まれてもよく、又はＲＡＭメモリ２０３に記憶されてもよい。
【０１５３】
基地局ＢＳ１を特定する情報は、無線セルラー通信ネットワークの全ての基地局ＢＳの中から基地局ＢＳ１を一意に特定するものであってもよく、又は、無線セルラー通信ネットワークの限られた数の基地局ＢＳの中から、たとえば所与のエリア内に位置する基地局ＢＳの中から、基地局ＢＳ１を一意に特定するものであってもよい。
【０１５４】
移動端末ＭＴのホワイトリストにおいて特定される基地局ＢＳ１を特定する情報によって、移動端末ＭＴは、基地局ＢＳ１によって転送される信号を認識できるようになり、且つ／又は、移動端末ＭＴ１は、基地局ＢＳ１によって転送される信号と同期できるようになる。移動端末ＭＴのホワイトリストにおいて特定される基地局ＢＳ１を特定する情報は、基地局ＢＳ１と移動端末ＭＴとの間のチャネルを推定するために用いられるレファレンス信号にすることもできる。
【０１５５】
次のステップＳ５０２において、プロセッサ２００は、無線インターフェース２０５に対し、移動端末ＭＴのホワイトリストにおいて特定される基地局ＢＳ１を特定する信号を周期的にブロードキャストするように命令する。
【０１５６】
移動端末ＭＴのホワイトリストにおいて特定される基地局ＢＳ１を特定する信号は、移動端末ＭＴのホワイトリストにおいて特定される基地局ＢＳ１のセル識別子に対応する同期信号、および、システム情報とすることができる。
【０１５７】
移動端末ＭＴのホワイトリストにおいて特定される基地局ＢＳ１を特定する信号は、基地局ＢＳ２を特定する信号と同じ無線資源において転送されてもよい。
【０１５８】
これらの信号は、シンボルから構成されるフレームの形をとることができ、フレームレベル及び／又はシンボルレベルにおいて同期するようにして転送することができる。すなわち、移動端末ＭＴのホワイトリストにおいて特定される基地局ＢＳ１を特定する信号は、基地局ＢＳ２を特定する信号とフレームレベル及び／又はシンボルレベルにおいて同期することができる。
【０１５９】
その後、プロセッサ２００はステップＳ５００に戻る。
【０１６０】
ステップＳ５１０において、プロセッサ２００は、移動端末ＭＴのホワイトリストにおいて特定される基地局ＢＳ１に向けられるメッセージが、移動端末ＭＴから受信されているか否かを調べる。
【０１６１】
移動端末ＭＴのホワイトリストにおいて特定される基地局ＢＳ１に向けられるメッセージが移動端末ＭＴから受信されている場合には、プロセッサ２００はステップＳ５２０に進む。そうでない場合には、プロセッサ２００はステップＳ５１１に進む。
【０１６２】
ステップＳ５２０において、プロセッサ２００は、受信したメッセージをコアネットワーク装置ＣＮに転送するように命令する。
【０１６３】
その後、プロセッサ２００はステップＳ５００に戻る。
【０１６４】
ステップＳ５１１において、プロセッサ２００は、コアネットワーク装置ＣＮからメッセージが受信されているか否かを調べる。
【０１６５】
コアネットワーク装置ＣＮからメッセージが受信されている場合には、プロセッサ２００は、ステップＳ５１２に進む。そうでない場合には、プロセッサ２００はステップＳ５００に戻る。
【０１６６】
ステップＳ５１２において、プロセッサ２００は、そのメッセージによって、移動端末ＭＴが基地局ＢＳ２を通じて無線セルラー通信ネットワークにアクセスすることが許可されるか否かを調べる。
【０１６７】
そのメッセージによって、移動端末ＭＴが基地局ＢＳ２を通じて無線セルラー通信ネットワークにアクセスすることが許可される場合には、プロセッサ２００はステップＳ５１３に進む。そうでない場合であって、移動端末ＭＴが基地局ＢＳ２を通じて無線セルラー通信ネットワークにアクセスすることを拒否するメッセージがコアネットワーク装置ＣＮから受信されている場合には、プロセッサ２００はステップＳ２００に戻る。
【０１６８】
ステップＳ５１３において、プロセッサ２００は、移動端末ＭＴにメッセージを転送し、そのメッセージによって、その移動端末ＭＴが無線セルラー通信ネットワークにアクセスすることが許可されるということを、その移動端末ＭＴに通知する。その移動端末ＭＴは、基地局ＢＳ１を通じて無線セルラー通信ネットワークにアクセスするかのように、基地局ＢＳ２を通じて無線セルラー通信ネットワークにアクセスする。
【０１６９】
移動端末ＭＴが実際には基地局ＢＳ２の資源を利用するということは、移動端末ＭＴには認識されない。
【０１７０】
次のステップＳ５１４において、プロセッサ２００は、移動端末ＭＴに転送されることになるデータがネットワークインターフェース２０６を通じて受信されているか否かを調べる。
【０１７１】
移動端末ＭＴに転送されることになるデータがネットワークインターフェース２０６を通じて受信されている場合には、プロセッサ２００はステップＳ５１５に進む。そうでない場合には、プロセッサ２００はステップＳ５１６に進む。
【０１７２】
データは、たとえば、移動端末ＭＴが関与する通信に関連する。
【０１７３】
ステップＳ５１５において、プロセッサ２００は、無線インターフェース２０５に対し、ステップＳ５１４において受信したデータを含む信号を移動端末ＭＴに転送するように命令する。これらの信号は、ステップＳ５０１において特定される基地局ＢＳによって転送されるべきものであり、ステップＳ５０１において特定された基地局が用いるべき方法と同じ方法によって転送される。
【０１７４】
ここで、ステップＳ５０１において特定される基地局ＢＳを特定する信号、及び、ステップＳ５０１において特定される基地局ＢＳによって転送されるべき移動端末ＭＴへの信号は、第２の基地局ＢＳ２を特定する信号及び／又は基地局ＢＳ２によって転送される信号と同時に、移動端末ＭＴ（ステップＳ４０５において選択された基地局ＢＳ２がその移動端末ＭＴのホワイトリストにおいて特定されるもの）に転送されてもよいことに留意されたい。
【０１７５】
これらの信号は、シンボルから構成されるフレームの形をとることができ、フレームレベル及び／又はシンボルレベルにおいて同期するようにして転送することができる。
【０１７６】
たとえば、ステップＳ５０１において特定された基地局ＢＳによって移動端末ＭＴに転送されるべき信号は、基地局ＢＳ２によって移動端末ＭＴ（ステップＳ４０５において選択された基地局ＢＳ２がその移動端末ＭＴのホワイトリストにおいて特定されるもの）に転送される信号と、フレームレベル及び／又はシンボルレベルにおいて同期することができる。
【０１７７】
その後、プロセッサ２００はステップＳ５１４に戻る。
【０１７８】
ステップＳ５１６において、プロセッサ２００は、通信ネットワークに転送されることになるデータが、無線インターフェース２０５を通じて移動端末ＭＴから受信されているか否かを調べる。
【０１７９】
通信ネットワークに転送されることになるデータが、無線インターフェース２０５を通じて移動端末ＭＴから受信されている場合には、プロセッサ２００はステップＳ５１７に進む。そうでない場合には、プロセッサ２００は、ステップＳ５１４に進む。
【０１８０】
ステップＳ５１７において、プロセッサ２００は、ネットワークインターフェース２０６に対し、ステップＳ５１７において受信されたデータを通信ネットワークに転送するように命令する。これらのデータは、ステップＳ５０１において特定された基地局ＢＳによって受信されるべきである。
【０１８１】
同様に、ステップＳ５０１において特定された基地局ＢＳに向けられる、移動端末ＭＴから受信される信号は、移動端末ＭＴ（基地局ＢＳがその移動端末ＭＴのホワイトリスト内にあるもの）から受信される信号と同時に受信されてもよい。
【０１８２】
その後、プロセッサ２００はステップＳ５１４に戻る。
【０１８３】
ここで、その基地局が全二重基地局ＢＳ２であるときに、ステップＳ５１４及びＳ５１５は、ステップＳ５１６及びＳ５１７と並行して実行されることに留意されたい。
【０１８４】
図６は、本発明による、その基地局に代わられた別の基地局が動作可能となるときに、その基地局によって実行されるアルゴリズムの一例を開示する。
【０１８５】
より厳密には、本アルゴリズムは、各基地局ＢＳのプロセッサ２００によって実行される。
【０１８６】
たとえば、本アルゴリズムは、基地局ＢＳ２が、移動端末のホワイトリストにおいて特定される基地局ＢＳ１によって転送されるべき信号を転送するときに、基地局ＢＳ２のプロセッサ２００によって実行される。
【０１８７】
ステップＳ６００では、プロセッサ２００は、動作可能でなかった基地局ＢＳ、すなわち基地局ＢＳ１が動作可能となるか否かを調べる。
【０１８８】
基地局ＢＳ１がコアネットワーク装置ＣＮ又は基地局ＢＳ２によって転送されるあるメッセージに応答するか否かを調べることによって、プロセッサ２００は、基地局ＢＳ１が動作可能であるか否かを調べることができる。
【０１８９】
基地局ＢＳ１と基地局ＢＳ２との間のリンクＸ２が動作可能であるか否かを調べることによって、プロセッサ２００は、基地局ＢＳ１が動作可能であるか否かを調べることができる。
【０１９０】
基地局ＢＳ１が動作可能である場合には、プロセッサ２００はステップＳ６０１に進む。そうでない場合には、プロセッサ２００はステップＳ６００に戻る。
【０１９１】
ステップＳ６０１において、移動端末ＭＴ（基地局ＢＳ１によって転送されるべき信号を、基地局ＢＳ２がその移動端末ＭＴに転送するもの）について、ハンドオーバが実施される。
【０１９２】
基地局ＢＳ２は、ステップＳ５０１において特定された基地局ＢＳによって転送されるべき信号を用いて、移動端末ＭＴ（基地局ＢＳ１によって転送されるべき信号を、基地局ＢＳ２がその移動端末ＭＴに転送するもの）に、その移動端末ＭＴがステップＳ５０１において特定された基地局ＢＳ１から基地局ＢＳ２へのハンドオーバに進まなければならないことを通知する。
【０１９３】
次のステップＳ６０２において、基地局ＢＳ２は、基地局ＢＳ１によって移動端末ＭＴに転送されるべき信号を転送するのを止め、移動端末ＭＴから基地局ＢＳ１に向けられる信号を受信するのを止める。
【０１９４】
ステップＳ６０３において、移動端末ＭＴ（基地局ＢＳ１によって転送されるべきであった信号を、基地局ＢＳ２がその移動端末ＭＴに転送していたもの）について、ハンドオーバが実行される。
【０１９５】
基地局ＢＳ２は、移動端末ＭＴ（基地局ＢＳ１によって転送されるべきであった信号を、基地局ＢＳ２がその移動端末ＭＴに転送していたもの）に対し、その移動端末ＭＴが基地局ＢＳ２から基地局ＢＳ１へのハンドオーバに進まなければならないということを通知する。
【０１９６】
その後、プロセッサ２００は、本アルゴリズムを中断する。
【０１９７】
当然、本発明の範囲から逸脱することなく、上述した本発明の実施形態に対して、数多くの変更を加えることができる。
【図１】
2010104003.tif 000003
【図２】
2010104003.tif 000004
【図３】
2010104003.tif 000005
【図４ａ】
2010104003.tif 000006
【図４ｂ】
2010104003.tif 000007
【図５】
2010104003.tif 000008
【図６】
2010104003.tif 000009
【外国語明細書】
2010104003.tif 000010
2010104003.tif 000011
2010104003.tif 000012
2010104003.tif 000013
2010104003.tif 000014
2010104003.tif 000015
2010104003.tif 000016
2010104003.tif 000017
2010104003.tif 000018
2010104003.tif 000019
2010104003.tif 000020
2010104003.tif 000021
2010104003.tif 000022
2010104003.tif 000023
2010104003.tif 000024
2010104003.tif 000025
2010104003.tif 000026
2010104003.tif 000027
2010104003.tif 000028
2010104003.tif 000029
2010104003.tif 000030
2010104003.tif 000031
2010104003.tif 000032
2010104003.tif 000033
2010104003.tif 000034
2010104003.tif 000035
2010104003.tif 000036
2010104003.tif 000037
2010104003.tif 000038
2010104003.tif 000039
2010104003.tif 000040
2010104003.tif 000041
2010104003.tif 000042
2010104003.tif 000043
2010104003.tif 000044